(57)【要約】【課題】高速に制御信号の最適値を探索し、受信装置に近接する物体の影響によるアンテナの同調周波数のずれを補正することのできる受信装置を提供する。【解決手段】アンテナ１０１に近接する物体によって変化するアンテナ１０１の同調周波数の変化量と変化方向とを特定し、演算部１０４からの制御信号の最適値を探索するときに、探索するべき制御信号の値の範囲を予め限定し、高速に上記探索を実行することにより同調周波数調節部１０２でアンテナ１０１の同調周波数のずれを補正する。【選択図】図１
2010288215.tif 000002
【特許請求の範囲】
【請求項１】
電波を受信する受信装置において、
電波を受信し、前記受信した電波に対応した受信信号を出力するアンテナと、
前記アンテナが出力した受信信号が入力され、前記受信信号の受信状態あるいは信号品質を測定する機能を備えた受信回路と、
前記受信回路において測定された受信状態あるいは信号品質を読み取る機能、および、制御信号を出力する機能を備えた演算部と、
前記演算部が出力した前記制御信号が入力され、前記アンテナの利得が最大となる周波数である同調周波数を調節する機能を有する同調周波数調節部と、
前記受信装置の筐体の状態変化を検出する検出手段と、を備えており、
前記受信状態あるいは信号品質は、前記制御信号の値によって変化し、且つ、前記受信した電波の周波数と前記同調周波数とが一致したときに最良となり、
前記演算部は、前記受信状態あるいは信号品質が最良となる前記制御信号の値が存在し得る範囲を探索範囲と定め、前記探索範囲の中から前記受信状態あるいは信号品質が最良となる前記制御信号の値を所定の手順に従って探索する探索手段とを備えることを特徴とする受信装置。
【請求項２】
請求項１に記載の受信装置において、
前記探索手段は、前記探索範囲を、前記制御信号が取り得る全ての値の範囲よりも狭い範囲に定める探索範囲限定手段を備えることを特徴とする受信装置。
【請求項３】
請求項２に記載の受信装置において、
前記探索範囲限定手段は、前記同調周波数の変化量の最大値および変化方向を反映して前記探索範囲を、前記制御信号が取り得る全ての値の範囲よりも狭い範囲に定めることを特徴とする受信装置。
【請求項４】
請求項２に記載の受信装置において、
前記探索範囲限定手段は、前記アンテナに近接する物体の影響によって前記アンテナの同調周波数が変化した場合に、前記近接する物体の影響による前記同調周波数の変化量の最大値および変化方向を事前のトレーニングによって学習して保持しておき、
前記保持した学習結果を利用して、前記探索範囲を、前記制御信号が取り得る全ての値の範囲よりも狭い範囲に定めることを特徴とする受信装置。
【請求項５】
請求項２に記載の受信装置において、
前記探索範囲限定手段は、前記アンテナに近接する物体の影響によって前記アンテナの同調周波数が変化した場合に、前記近接する物体の影響による前記同調周波数の変化量の最大値および変化方向を、前記検出手段によって検出される筐体の形状毎に事前のトレーニングによって学習して保持しておき、
前記検出手段によって検出された筐体の状態変化に対応した前記保持した学習結果を利用して、前記探索範囲を、前記制御信号が取り得る全ての値の範囲よりも狭い範囲に定めることを特徴とする受信装置。
【請求項６】
請求項４または請求項５に記載の受信装置において、
前記演算部は、端末使用者によってボタンを押すなどの端末操作が実行された場合には、前記アンテナに近接する物体は端末操作者の手すなわち人体であると判断し、
前記人体の影響によって前記アンテナの同調周波数が変化していると判断して前記探索手段を実行することを特徴とする受信装置。
【発明の詳細な説明】
【技術分野】
【０００１】
本発明は、アンテナを内蔵した携帯型受信装置に関する。
【背景技術】
【０００２】
携帯型受信装置において、デザイン性の向上、アンテナ破損リスクの低減などの要求から、アンテナを小型化し、筐体内への内蔵化が求められている。そこで、アンテナの利得が最大となる周波数（以下、同調周波数）を可変にしたチューナブルアンテナを用いて、アンテナの同調周波数を、端末使用者が受信を希望する周波数に適宜合わせることで、高利得且つ広帯域の受信が可能な内蔵アンテナが実現できる。
【０００３】
チューナブルアンテナは、アンテナの特性インピーダンス調節回路を用いてアンテナの特性インピーダンスを所定の値に調節することで、同調周波数を端末使用者が受信を希望する周波数に一致させる。特性インピーダンス調節回路の制御は制御信号によって行われる。しかしながら、受信装置に近接する物体の影響を受けてアンテナの特性インピーダンスが変動し、アンテナの同調周波数と端末使用者が受信を希望する周波数とで、ずれが生じる。
【０００４】
特に、携帯型受信装置においては、手で持って使用する形態が考えられる。この場合、使用者の人体に近接して使用されるため、人体の影響によりアンテナの特性インピーダンスが変動し、アンテナの同調周波数と端末使用者が受信を希望する周波数とで、ずれが生じる。
【０００５】
このようなずれが生じると、端末使用者が受信を希望する周波数でのアンテナ利得が低下し、受信感度が劣化する。
【０００６】
このような課題を解決するために、受信信号電力（Received  Signal  Strength  Indicator、以下、「ＲＳＳＩ」という。）を監視し、ＲＳＳＩが最大値となる制御信号の値を探索する方法が特許文献１に開示されている。これによれば、近接人体の影響により、アンテナとのインピーダンス不整合が生じてアンテナ同調周波数が変化し、本来のアンテナ利得が得られなくなりＲＳＳＩが低下した場合でも、インピーダンスを整合させる制御信号の最適値を自動的に探索することで、ＲＳＳＩを回復することができる。
【先行技術文献】
【特許文献】
【０００７】
【特許文献１】特開２００７−１３８９０号公報
【発明の概要】
【発明が解決しようとする課題】
【０００８】
しかしながら、上記制御信号の最適値を探索する方法には、以下の課題がある。
制御信号の最適値を探索している間は、アンテナの同調周波数は端末使用者が受信を希望する周波数とずれたままである。そのため、探索に長時間が必要であった場合、端末使用者は探索が完了するまで長時間待つ必要がある。
【０００９】
本発明は、上記の点に鑑み、高速に制御信号の最適値を探索し、アンテナの同調周波数のずれを補正することのできる受信装置を提供することを目的とする。
【課題を解決するための手段】
【００１０】
本発明に係る電波を受信する受信装置は、電波を受信し、前記受信した電波に対応した受信信号を出力するアンテナと、前記アンテナが出力した受信信号が入力され、前記受信信号の受信状態あるいは信号品質を測定する機能を備えた受信回路と、前記受信回路において測定された受信状態あるいは信号品質を読み取る機能、および、制御信号を出力する機能を備えた演算部と、前記演算部が出力した前記制御信号が入力され、前記アンテナの利得が最大となる周波数である同調周波数を調節する機能を有する同調周波数調節部と、前記受信装置の筐体の状態変化を検出する検出手段と、を備えており、前記受信状態あるいは信号品質は、前記制御信号の値によって変化し、且つ、前記受信した電波の周波数と前記同調周波数とが一致したときに最良となり、前記演算部は、前記受信状態あるいは信号品質が最良となる前記制御信号の値が存在し得る範囲を探索範囲と定め、前記探索範囲の中から前記受信状態あるいは信号品質が最良となる前記制御信号の値を所定の手順に従って探索する探索手段とを備えることを特徴とする。
【００１１】
また、前記探索手段は、前記探索範囲を、前記制御信号が取り得る全ての値の範囲よりも狭い範囲に定める探索範囲限定手段を備えることを特徴とする。
【００１２】
また、前記探索範囲限定手段は、前記同調周波数の変化量の最大値および変化方向を反映して前記探索範囲を、前記制御信号が取り得る全ての値の範囲よりも狭い範囲に定めることを特徴とする。
【００１３】
また、前記探索範囲限定手段は、前記アンテナに近接する物体の影響によって前記アンテナの同調周波数が変化した場合に、前記近接する物体の影響による前記同調周波数の変化量の最大値および変化方向を事前のトレーニングによって学習して保持しておき、前記保持した学習結果を利用して、前記探索範囲を、前記制御信号が取り得る全ての値の範囲よりも狭い範囲に定めることを特徴とする。
【００１４】
また、前記探索範囲限定手段は、前記アンテナに近接する物体の影響によって前記アンテナの同調周波数が変化した場合に、前記近接する物体の影響による前記同調周波数の変化量の最大値および変化方向を、前記検出手段によって検出される筐体の形状毎に事前のトレーニングによって学習して保持しておき、前記検出手段によって検出された筐体の状態変化に対応した前記保持した学習結果を利用して、前記探索範囲を、前記制御信号が取り得る全ての値の範囲よりも狭い範囲に定めることを特徴とする。
【００１５】
また、前記演算部は、端末使用者によってボタンを押すなどの端末操作が実行された場合には、前記アンテナに近接する物体は端末操作者の手すなわち人体であると判断し、前記人体の影響によって前記アンテナの同調周波数が変化していると判断して前記探索手段を実行することを特徴とする。
【発明の効果】
【００１６】
本発明に係る受信装置によれば、特別に追加回路を設けることなく、高速に上記制御信号の最適値を探索することでアンテナの同調周波数のずれを補正することができる。
【図面の簡単な説明】
【００１７】
【図１】図１は本発明の実施例１の受信装置を示したブロック図である。
【図２】図２は本発明による同調周波数調節部の一実施例を示したブロック図である。
【図３】図３は制御信号値に対する同調周波数の変化特性図である。
【図４】図４は制御信号値に対するＣＮＲの変化特性図である。
【図５】図５はＣＮＲが最大となる制御信号値を探索するアルゴリズムのフローチャートである。
【図６】図６は人体影響がある場合と無い場合、それぞれの制御信号値に対する同調周波数の変化特性図である。
【図７】図７は制御信号値に対するＣＮＲの変化特性図である。
【図８】図８はＣＮＲが最大となる制御信号値を高速に探索するアルゴリズムのフローチャートである。
【図９】図９は本発明の実施例２の受信装置を示したブロック図である。
【図１０】図１０は筐体形状変化の一例を示した図である。
【図１１】図１１は筐体の形状および近接する物体の種類毎の、制御信号値に対する同調周波数の変化特性図である。
【図１２】図１２はＣＮＲが最大となる制御信号値を高速に探索するアルゴリズムのフローチャートである。
【図１３】図１３は本発明の実施例３のＣＮＲが最大となる制御信号値を高速に探索するアルゴリズムのフローチャートである。
【図１４】図１４はＣＮＲが最大となる制御信号値を高速に探索するアルゴリズムのフローチャートの一部である。
【図１５】図１５はＣＮＲが最大となる制御信号値を高速に探索するアルゴリズムの動作例の一例を示す図である。
【発明を実施するための形態】
【００１８】
以下、本発明の実施の形態について、図面を参照して説明する。
【実施例１】
【００１９】
図１は本発明の実施例１の受信装置を示すブロック図である。以下、本発明を地上デジタル放送受信装置に適用した場合の、図１に示した実施例の詳細について説明する。
【００２０】
本実施例の受信装置は、アンテナ１０１と、同調周波数調節部１０２と、受信回路１０３と、演算部１０４とを備えている。
【００２１】
アンテナ１０１は、図示しない送信装置が送信した電波を受信することができ、アンテナが受信した電波に応じた高周波信号を同調周波数調節部１０２へ出力する。同調周波数調節部１０２は、アンテナ１０１から入力された高周波信号を受信回路１０３へ出力する。受信回路１０３は、同調周波数調節部１０２から入力された高周波信号の中から、ユーザからの操作などに従って決定される受信を希望する周波数（即ち受信周波数）を選局し、ベースバンド信号に変換した後、デジタル復調および誤り訂正処理を施され、ＴＳ信号（トランスポートストリーム信号）を出力すると同時に、前記選局された高周波信号の信号品質として、前記高周波信号の搬送波帯における搬送波の平均電力と雑音電力の比であるＣＮＲ（Carrier to Noise Ratio）を測定する。
【００２２】
演算部１０４は、受信回路１０３が測定したＣＮＲを読み取る。本実施例ではＣＮＲを用いるが、ＣＮＲ以外にも、コンスタレーションの理想的なシンボル位置と実際のシンボル位置とがどれだけずれているかをデシベルで表現したＭＥＲ（Modulation Error Ratio）、あるいは復調したデジタル信号の誤りビット数と全ビット数との比を表すＢＥＲ（Bit Error Rate）を用いても良い。
【００２３】
また、演算部１０４は、同調周波数調節部１０２を制御するための制御信号を出力することができる。演算部１０４から出力された前記制御信号は、同調周波数調節部１０２へ入力される。
【００２４】
同調周波数調節部１０２は、入力された前記制御信号に従って、アンテナ１０１の特性インピーダンスを変化させることで、アンテナ１０１の同調周波数を変化させることができる。
【００２５】
図２は、本実施例における同調周波数調節部１０２の実施例の一例を示したブロック図である。以下、図２に示した同調周波数調節部１０２の詳細について説明する。
【００２６】
同調周波数調節部１０２は、容量素子２０１および、可変容量素子２０２および、抵抗２０３を備えている。演算部１０４から、同調周波数調節部１０２へ入力された前記制御信号が、可変容量素子２０２の容量値を制御することにより、アンテナ１０１の特性インピーダンスを変化させ、アンテナ１０１の同調周波数を変化させる。以上が、本実施例に示す受信装置の基本的な構成である。
【００２７】
次に、本実施例に示すアンテナの特性について図３および図４を用いて説明する。
図３は、前記制御信号の値によって、アンテナ１０１の同調周波数が変化する様子を示した特性図である。図３の横軸が前記制御信号の値を、縦軸が前記同調周波数を表している。図３では、前記制御信号の値は、下限値Ｖｍｉｎと上限値Ｖｍａｘの間の値を取り、前記制御信号の値をＶｃｈとしたときに、アンテナ１０１の同調周波数と前記受信周波数が一致することを示している。
【００２８】
図４は、図１に示した実施例において、前記制御信号の値に対する前記ＣＮＲの値の一例を示す特性図である。図４の横軸が前記制御信号の値を、縦軸が前記ＣＮＲの値を表しており、前記制御信号の値を変化させることで前記ＣＮＲの値が変化することを示している。また、前記受信装置に近接する物体が存在しない場合には、前記ＣＮＲの値が最大値となる前記制御信号の値はＶｃｈであるが、前記物体が存在する場合には、前記ＣＮＲの値が最大値となる前記制御信号の値は前記ＶｃｈではなくＶｂｅｓｔであることを表している。この原因は、前記受信装置に近接する物体の影響によって前記同調周波数が変化したため、前記受信周波数と前記同調周波数が一致する前記制御信号の値が前記Ｖｃｈではなく前記Ｖｂｅｓｔとなったためである。
【００２９】
次に、演算部１０４の動作の詳細について説明する。演算部１０４は、前記Ｖｍｉｎと前記Ｖｍａｘの間を探索範囲とし、探索範囲の中から前記ＣＮＲが最大値となる前記制御信号の値Ｖｂｅｓｔを探索することで、受信装置に近接する物体の影響によるアンテナ１０１の同調周波数と前記受信周波数とのずれを補正することが可能となる。
【００３０】
以下、前記探索を実行する手順を図５のフローチャートを用いて説明する。演算部１０４は、ステップＳ５０１で前記制御信号の値をＶｍｉｎに設定して記憶する。そして、ステップＳ５０２において、受信回路１０３が測定したＣＮＲを読み取り記憶する。ステップＳ５０３では、前記制御信号の値がＶｍａｘ以下か否かを判定し、判定の結果がＹｅｓであれば、ステップＳ５０４において、制御信号の値を所定量増加させ、ステップＳ５０２へ戻る。一方、前記判定の結果がＮｏであれば一連の処理を終了する。
【００３１】
上述の処理を実行することで、記憶された制御信号の値とＣＮＲの値の中から前記ＣＮＲの値が最大となる前記制御信号の値であるＶｂｅｓｔを探索することができる。
【００３２】
しかしながら、前記Ｖｍｉｎと前記Ｖｍａｘの間を探索範囲とし、前記探索範囲の中から前記探索を実行することにより前記Ｖｂｅｓｔを求めるには、多大な時間がかかるという欠点がある。
【００３３】
そこで、前記受信装置に近接する物体の影響による前記アンテナの同調周波数変化の変化量、および変化方向を事前のトレーニングによって特定し、前記探索範囲を狭くする。前記受信装置に近接する物体とは、例えば、本実施例に示す受信装置を使用する端末使用者の人体である。
【００３４】
以下、前記探索範囲を狭くする方法について説明する。図６は、受信装置に人体が近接していない場合と近接した場合、それぞれの場合における、前記制御信号値とアンテナ１０１の同調周波数との関係を示している。受信装置に人体が近接していない場合には、前記制御信号の値をＶｃｈとすることでアンテナ１０１の同調周波数は前記受信周波数と一致するが、受信装置に人体が近接した場合にはアンテナ１０１の同調周波数が変化し（低くなり）、前記受信周波数とずれが生じる。
【００３５】
ここで、受信装置に人体が近接することによるアンテナ１０１の同調周波数の変化量、および変化の方向（同調周波数が高くなるか低くなるか）を、事前のトレーニングによる学習等により予め決定しておく。前記学習の結果、同調周波数は最大でも１００ＭＨｚを超えないこと、および、アンテナ１０１の同調周波数は必ず低くなること、がわかっている。
【００３６】
演算部１０４では、このことを利用して前記探索範囲を狭くする。演算部１０４では、前記探索範囲を、前記Ｖｍｉｎと前記Ｖｍａｘの間とするのではなく、前記Ｖｃｈとアンテナ１０１の同調周波数を１００ＭＨｚ高くする前記制御信号値量だけＶｃｈよりも大きい値との間を探索範囲とする。図７は前記探索範囲を狭くした様子を示している。
【００３７】
上述の手法で前記探索範囲を狭くした場合の前記探索を実行する手順を図８のフローチャートを用いて説明する。なお、図５と同様の処理には同じ符号を記す。
【００３８】
図８において、図５との違いは、ステップＳ８０１が追加されていることである。ステップＳ８０１では、前記Ｖｍｉｎの値としてＶｃｈを、前記Ｖｍａｘの値として、Ｖｃｈよりもアンテナ１０１の同調周波数を１００ＭＨｚ高くする前記制御信号値量だけ大きい値とする。それ以降の処理は全て上述の図５の処理と同様である。
【００３９】
上述の処理を実行することで、上述の図５の処理よりも高速に、前記ＣＮＲの値が最大となる前記制御信号の値であるＶｂｅｓｔを探索することができる。
【００４０】
上述のように、前記受信装置に近接する物体、例えば人体の影響による前記同調周波数の変化量、および変化方向を事前のトレーニング等によって学習し、前記学習結果に基づいて前記探索範囲を狭くすることで、前記探索に要する時間を短縮することができる。また、本発明の手法では特別に追加回路を設けることなく、高速に上記制御信号の最適値Ｖｂｅｓｔを探索することで前記同調周波数のずれを補正することができる。
【実施例２】
【００４１】
図９は本発明の実施例２の受信装置を示すブロック図である。以下、本発明を地上デジタル放送受信装置に適用した場合の、実施例２の詳細について説明する。なお、図１と同様な機能ブロックについては同一の符号を示す。
【００４２】
本実施例の受信装置は、アンテナ１０１と、同調周波数調節部１０２と、受信回路１０３と、演算部９０１とを備えている。演算部９０１は、実施例１に示した演算部１０４と同様の機能を備えており、さらに記憶部９０２を備えている。
【００４３】
図１０は、上述の、本実施例における前記筐体の形状変化の一例を示したブロック図である。蓋体部１００１は本体部１００２に対して、ヒンジ１００３を中心に回転することにより、前記筐体の形状が変化する。蓋体部１００１が本体部１００２から離れており、前記筐体を開いた状態が図１０（ａ）であり、蓋体部１００１が本体部１００２に接触しており、前記筐体を閉じた状態が図１０（ｂ）である。前記筐体の形状変化を検出する検出手段は、現在の筐体形状が前記図１０（ａ）の開状態であるいか、あるいは図１０（ｂ）の閉状態であるかを区別、検出し、演算部１０４に通知することができる。
【００４４】
また、前記筐体の形状は、蓋体部１００１が本体部１００２に対してスライドするなど、図１０に示した以外の形状、あるいは状態を取っても良い。なお、前記検出を実現する方法は、機械的なスイッチによってもよいし、さらに別な方法を用いてもよい。
【００４５】
ここで、記憶部９０２について説明する。記憶部９０２は、本実施例における前記受信装置の筐体が取り得る全ての形状の状態と、前記形状それぞれにおける実施例１に示した前記事前のトレーニングによる学習の結果とを関連付けて記憶しておくことができる。
【００４６】
前記筐体の形状変化を検出する検出手段によって筐体の形状あるいは状態を検出し、前記検出した筐体の形状あるいは状態毎に個別に前記事前のトレーニングによる学習を実行し、前記学習の結果を個別に記憶部９０２に保持しておくことができる。
【００４７】
また、本実施例に示す受信装置を使用する端末使用者が、ボタンを押すなどの端末操作を実行した場合には、前記受信装置に近接する物体とはすなわち端末使用者の人体であると断定することができる。そのため、前記受信装置に近接する物体として人体を想定した前記事前のトレーニングによる学習をしておくとよい。
【００４８】
この場合、前記人体を想定した前記学習の結果と、前記人体以外の物体を想定した前記学習の結果とを区別して前記個別に記憶部９０２に記憶しておくことができる。図１１に、記憶部９０２に記憶する情報について示す。
【００４９】
図１１（ａ）は筐体の形状あるいは状態、および前記受信装置に近接する物体として人体とそれ以外の物体および前記近接する物体が存在しない場合それぞれにおける、前記制御信号値に対するアンテナ１０１の同調周波数の特性を示している。図１１（ａ）の横軸は前記制御信号、縦軸は前記ＣＮＲである。記憶部９０２は、図１１（ａ）に示した特性の特徴を、図１１（ｂ）に示す表の形式で記憶しておくことができる。
【００５０】
次に、演算部９０１の動作の詳細について説明する。演算部９０１は、演算部１０４と同様の前記探索および前記探索範囲の限定ができる。さらに、前記探索範囲の限定を実行する場合に、前記筐体の形状変化を検出する検出手段によって筐体の形状（開閉状態等）を検出し、前記個別に記憶部９０２に保持しておいた学習の結果の中から、前記検出した前記筐体の形状（開閉状態等）に対応した情報を利用する。これにより、前記筐体の形状変化に応じた前記学習の結果を利用することが可能となり、前記探索を高速に、且つ正確に実行できる。
【００５１】
さらに、前記学習の結果を利用して前記探索範囲の限定を行うときに、本実施例に示す受信装置を使用する端末使用者がボタンを押すなどの端末操作を実行した場合には、記憶部９０２に保持しておいた人体を想定した前記事前のトレーニングによる学習結果を利用すると良い。これにより、前記筐体の形状変化に応じた前記学習の結果を利用するだけでなく、前記受信装置に近接する物体に応じた前記学習の結果を利用することが可能となり、前記探索を高速に、且つ正確に実行できる。
【００５２】
図１２に上述の、記憶部９０２に記憶した情報を利用した場合の前記探索のフローチャートを示す。図１２において、図５および図８に示したフローチャートと同様のステップには同一の符号を記す。
【００５３】
ステップＳ１２０１において、前記筐体の形状変化を検出する検出手段によって検出した前記検出した前記筐体の形状（開閉状態等）の情報と、前記受信装置を使用する端末使用者が端末操作を実行したか否かの情報とを元に、現在の状況が図１１（ｂ）に示す表のどの番号に対応しているかを判定する。
【００５４】
次に、ステップＳ１２０２において、前記現在の状況が対応している番号が、番号１であった場合には、前記Ｖｍｉｎの値としてＶｃｈを、前記Ｖｍａｘの値として、Ｖｃｈよりもアンテナ１０１の同調周波数を１００ＭＨｚ高くする前記制御信号値量だけ大きい値とする。番号２であった場合には、前記Ｖｍｉｎの値としてＶｃｈを、前記Ｖｍａｘの値として、Ｖｃｈよりもアンテナ１０１の同調周波数を９０ＭＨｚ高くする前記制御信号値量だけ大きい値とする。番号３であった場合には、前記Ｖｍｉｎの値をＶｃｈよりもアンテナ１０１の同調周波数を８０ＭＨｚ低くする前記制御信号値量だけ小さい値とし、前記Ｖｍａｘの値をＶｃｈとする。番号４であった場合には、前記Ｖｍｉｎの値をＶｃｈよりもアンテナ１０１の同調周波数を７０ＭＨｚ低くする前記制御信号値量だけ小さい値とし、前記Ｖｍａｘの値をＶｃｈとする。それ以降の処理は全て上述の図５の処理と同様である。
【００５５】
上述の処理を実行することで、前記筐体の形状および前記受信装置に近接する物体の種類に適した前記探索範囲の限定が可能となり、前記ＣＮＲの値が最大となる前記制御信号の値であるＶｂｅｓｔを高速に、且つ上述の図８の処理よりも正確に探索することができる。
【００５６】
上述のように、前記受信装置に近接する物体、例えば人体の影響による前記同調周波数の変化量、および変化方向を事前のトレーニングによって学習し、前記学習結果に基づいて前記探索範囲を狭くすることで、前記探索に要する時間を短縮することができる。また、本発明の手法では特別に追加回路を設けることなく、高速に上記制御信号の最適値Ｖｂｅｓｔを探索することで前記同調周波数のずれを補正することができる。
【実施例３】
【００５７】
次に、図５および図８および図１２に示した手順とは別のアルゴリズムによる前記探索を実行する手順の実施例３を、図１３および図１４を用いて説明する。図１３および図１４は、前記探索の処理手順を説明したフローチャートである。
【００５８】
以下、図１３および図１４で説明するアルゴリズムは、前記探索範囲を一定の手順に従って狭めていくことで、前記探索を実現するアルゴリズムであるため、前記学習の結果を利用して探索範囲を狭めることで、処理手順を削減することが可能であり、処理の高速化が可能となる。
【００５９】
ステップＳ８０１は図８に示したものと同様の処理である。ステップＳ１３０１において、演算部１０４は、前記制御信号の値を、前記Ｖｍａｘと前記Ｖｍｉｎの中点に設定し、現在の前記制御信号値を現在値として記録する。
【００６０】
次に、ステップＳ１３０２において、演算部１０４は、受信回路１０３が測定したＣＮＲを読み取り、現在ＣＮＲとして記録しておく。
【００６１】
続いて、ステップＳ１３０３において、演算部１０４は、前記現在値が前記Ｖｍａｘと前記Ｖｍｉｎの中点の値よりも大きいか否かを検査し、ＹｅｓであればステップＳ１３０４を、ＮｏであればステップＳ１３０５を実行する。
【００６２】
ステップＳ１３０４では、演算部１０４は、前記制御信号の値を前記現在値と前記Ｖｍｉｎの中点に設定し、出力する。ステップＳ１３０５では、演算部１０４は、前記制御信号の値を前記現在値と前記Ｖｍａｘの中点に設定し、出力する。
【００６３】
次いで、ステップＳ１３０６では、演算部１０４は、ステップＳ１３０４あるいはステップＳ１３０５で設定した値を中点値として記録する。そして、ステップＳ１３０７では、演算部１０４は、受信回路１０３が測定したＣＮＲを読み取り、中点ＣＮＲとして記録しておく。
【００６４】
ステップＳ１３０８では、演算部１０４は、図１４に示す探索範囲更新処理を実行する。以下、図１４に示す探索範囲更新処理の手順について説明する。
【００６５】
まず、ステップＳ１４０１において、演算部１０４は、記録された前記現在ＣＮＲと前記中点ＣＮＲの大小を比較し、前記現在ＣＮＲのほうが大きければ、ステップＳ１４０２を実行し、前記中点ＣＮＲのほうが大きければ、ステップＳ１４０３を実行する。
【００６６】
ステップＳ１４０２では、演算部１０４は、前記現在値と前記中点値のどちらが大きいかを比較し、前記現在値のほうが大きければ、ステップＳ１４０４を実行し、前記中点値のほうが大きければ、ステップＳ１４０６を実行する。
【００６７】
ステップＳ１４０３では、演算部１０４は、前記現在値と前記中点値のどちらが大きいかを比較し、前記現在値のほうが大きければ、ステップＳ１４０５を実行し、前記中点値のほうが大きければ、ステップＳ１４０７を実行する。
【００６８】
ステップＳ１４０４では、演算部１０４は、前記Ｖｍｉｎを前記中点値に設定する。また、ステップＳ１４０５では、演算部１０４は、前記Ｖｍａｘを前記現在値に設定する。また、ステップＳ１４０６では、演算部１０４は、前記Ｖｍａｘを前記中点値に設定する。また、ステップＳ１４０７では、演算部１０４は、前記Ｖｍｉｎを前記現在値に設定する。
【００６９】
続いて、ステップＳ１４０８において、演算部１０４は、前記現在ＣＮＲよりも前記中点ＣＮＲのほうが大きいので、前記現在ＣＮＲの値を、前記中点ＣＮＲの値で置き換え、前記現在値を前記中点値で置き換える。
【００７０】
以上で、演算部１０４は前記探索範囲更新処理を完了し、図１０のステップＳ１３０９を実行する。
【００７１】
上記ステップＳ１３０９では、前記Ｖｍａｘと前記Ｖｍｉｎの差が所定の値以下であれば、ステップＳ１３１０において前記Ｖｍｉｎと前記Ｖｍａｘの中点を前記Ｖｂｅｓｔとして処理を停止し、前記所定の値より大きければ、ステップＳ１３０３へ戻る。
【００７２】
図１３および図１４に示した処理を実施したときに、前記Ｖｍｉｎ、前記Ｖｍａｘ、前記現在値、前記中点値、前記現在ＣＮＲ、前記中点ＣＮＲのそれぞれの値が更新されていく様子を、図１５に示す。
【００７３】
図１５において、最初にステップＳ８０１において、ＶｍｉｎをＶｃｈに設定し、ＶｍａｘをＶｃｈ＋１００ＭＨｚ相当の制御信号値に設定する。その後、ステップ１３０１以降のステップを実行して、前記Ｖｍｉｎ、前記Ｖｍａｘ、前記現在値、前記中点値、前記現在ＣＮＲ、前記中点ＣＮＲのそれぞれの値が更新される。
【００７４】
例えば、ステップＳ１３０１において、現在値がＶｍａｘとＶｍｉｎの中点に設定され、ステップＳ１３０５において、制御信号値が現在値とＶｍａｘの中点に設定され、ステップＳ１３０６において、設定された値を中点値として記録し、ステップＳ１４０６において、中点値をＶｍａｘと設定し、ステップＳ１３０９において、前記Ｖｍａｘと前記Ｖｍｉｎの差が所定の値以下であれば、ステップＳ１３１０において前記Ｖｍｉｎと前記Ｖｍａｘの中点を前記Ｖｂｅｓｔとして処理を停止する。
【符号の説明】
【００７５】
１０１    アンテナ
１０２    同調周波数調節部
１０３    受信回路
１０４    演算部
２０１    容量素子
２０２    可変容量素子
２０３    抵抗
９０１    演算部
９０２    記憶部
１００１    蓋体部
１００２    本体部
１００３    ヒンジ
【図１】
2010288215.tif 000003
【図２】
2010288215.tif 000004
【図３】
2010288215.tif 000005
【図４】
2010288215.tif 000006
【図５】
2010288215.tif 000007
【図６】
2010288215.tif 000008
【図７】
2010288215.tif 000009
【図８】
2010288215.tif 000010
【図９】
2010288215.tif 000011
【図１０】
2010288215.tif 000012
【図１１】
2010288215.tif 000013
【図１２】
2010288215.tif 000014
【図１３】
2010288215.tif 000015
【図１４】
2010288215.tif 000016
【図１５】
2010288215.tif 000017